(57)【特許請求の範囲】
【請求項１】
捕球面パーツ（１）と手甲面パーツ（２）とを綴じ紐（３）で縫い合わせ、親指（６）と人差し指（７）の間に捕球用ウエブ（４）を設けるとともに、手口部（５）に固定用アジャスタ（１１）が設けられ、手甲面パーツ（２）の親指部に親指サック（２１）を設けてなる野球グローブにおいて、 手口部（５）に人指し指（７）の小指側に切り込み（１０ａ）を入れて分割し、分割した手口部（５）を親指サック（２１）を越えて小指部に至る一方のアジャスタ（１１a）を切り込み（１０a）からグローブ内に入れて他方のアジャスタ（１１b）と結び、人指し指（７）をその下部で締め付け可能とする手口部緊締構造（１０）を設け、人差し指（７）を軸とする親指サック内の親指（６）と小指（９）とでグローブの開閉操作を行う構造（２０）を形成してなることを特徴とするグローブ構造。
【請求項２】
親指サック（２１）の上部内側に金属又はプラスチック硬化片（２１c）を内通し、他方、親指サックの挿入口（２１ｅ）は親指付け根から手口部に向けて広がる角度αを持たせる請求項１記載のグローブ構造。
【請求項３】
小指部近傍に切り込み(１０b)を設け、その切り込み（１０b）の近傍に小指付け根支持部（２３）を設け、小指付け根支持部（２３）は支持部の一端（２３b）、（２３b）が手甲面から外部に抜き出され、付け根支持強度が調整可能となっている請求項１記載のグローブ構造。
【発明の詳細な説明】
【技術分野】
【０００１】  本発明は、使用者の親指を保護し、同時に親指と小指の開閉操作性を改善した野球用またはソフトボール用グローブ構造に関する。
【背景技術】
【０００２】  野球用グローブおよびソフトボール用グローブには種々のグローブが知られている。親指は、たとえば試合中に使用者に向かって打球されまたは投球された野球ボールおよびソフトボールを捕球するときに衝撃を受けやすい。また、走塁している相手チームの選手を「タッチアウト」するときは、使用者はグローブでボールをつかみ、相手選手が塁に到達しないうちにグローブで相手選手に触るため、グローブをはめている手が抜ける場合が多い。また、選手がこの走者をタッチアウトしようとするときに、グローブからボールがこぼれ易い。特に、本塁での捕手と走者との衝突では起こりやすい。多くの場合には、既存の野球用およびソフトボール用グローブは、使用者の保護が不十分であった。そこで、グローブ着用ハンドの保護を強化するグローブ構造が提案されている（特許文献１）。  
【先行技術文献】
【特許文献】
【０００３】
【特許文献１】特開２０１３−２３０３６６号
【発明の概要】
【発明が解決しようとする課題】
【０００４】  しかしながら、野球選手またはソフトボール選手のグローブ着用ハンドの保護の向上を図ると操作性が悪くなるという欠点を招来する。そこで、グローブ着用ハンドの保護の向上を図るともに操作性を向上させることを本件発明の目的とする。
【課題を解決するための手段】
【０００５】  本発明は、グローブの操作性は人差し指を中心とする親指側と小指側の開閉作用によって決定され、グローブへの差し込んだ手首をしっかりと固定することにより操作時の抜けを防止することができることに着目し、手首の差し込み口である手口部を親指側と小指側で分割し、親指側から小指側に至る分割した開口部を帯で締め付けるアジャスタ形式とすることによりグローブの開閉操作性を向上させると同時に分割した手口部を緊締する構造とするもので、  その要旨とするところは、捕球面パーツと手甲面パーツとを綴じ紐で縫い合わせ、親指と人差し指の間に捕球用ウエブを設けるとともに、手口部を設けてなる野球グローブにおいて、  手口部に少なくとも人指し指の近傍、好ましくは中指との間と、小指の近傍、好ましくは小指外側に切り込みを入れて分割し、分割した手口部をアジャスタで、締め付け可能とする手口部の分割緊締構造とする一方、手甲面パーツの親指部に親指サックを設けるとともに、小指部には切り込み近傍に、付け根支持部を設け、好ましくは人差し指部に指出し口を設け、そこから表側に人差し指を出し、人差し指を軸とする親指と小指とでグローブの開閉操作を行う構造を形成してなることを特徴とするグローブ構造とする。
【発明の効果】
【０００６】  本発明においては、手口部が切り込みによって分割され、人差し指を軸とする親指と小指とでグローブを開閉操作する構造を形成しているので、グローブの開閉操作に優れる。そして、分割した手口部をアジャスタで、締め付け可能とする手口部の緊締構造を形成しているので、切り込みによりグローブの手口部を分割してその操作性を向上させてもグローブの手口部をしっかりと緊締することができ、操作時の抜けを防止する。【０００７】  本発明においては、手甲面パーツの親指部に金属又はプラスチック硬質片を内挿した親指サックを設けるのが親指の操作性を害することなく、捕球時の親指への衝撃を緩和することができる。また、小指部には深く入れた切り込み近傍に、付け根支持部を設けるのが好ましい。これにより人差し指を軸とする親指と小指でのグローブ開閉操作を容易にすることができる。【０００８】  親指部には指サック挿入部の上部内側に金属又はプラスチック硬質片を内挿し、他方、親指サックの挿入口は親指付け根から手口部に向けて広がる角度αを持たせ、親指付け根に沿う様にするのが親指の操作性を害することなく、親指の操作性を向上させることができる。【０００９】  また、小指部の操作性を持たせるためには小指付け根を支持する構造とし、支持部の一端が分割して外部に抜き出され、紐の結び付けにより支持強度が調整可能となっているのが好ましい。
【図面の簡単な説明】
【００１０】
【図１】本発明に係る実施例であるキャッチャーミットの手甲面側正面図である。
【図２】本発明に係る実施例であるキャッチャーミットの捕球面側正面図である。
【図３】図1のキャッチャーミットの手甲面パーツを取り出した正面図である。
【図４】図１のキャッチャーミットに手を挿入した状態を示す手甲面側正面図である。
【図５】図３のキャッチャーミット手甲面パーツに手を挿入した状態を示す手甲面パーツ側正面図である。
【図６】図１のキャッチャーミット改良に手を挿入した状態を示す手甲面側正面図である。
【発明を実施するための形態】
【００１１】  図１は本発明に係る一実施例であるキャッチャーミットの手甲面側正面図で、図2は本発明に係る一実施例であるキャッチャーミットの捕球面側正面図である。かかるミットは捕球面パーツ１と手甲面パーツ２とを綴じ紐３で縫い合わせてなり、親指６と人差し指７の間に捕球用ウエブ４を設けるとともに、手口部５を設けてなる。
【００１２】  図３は図１のキャッチャーミットの手甲面パーツを取り出した正面図である。図３において、手口部５に人指し指７と中指８の間、小指９の外側に切り込み１０ａ，１０ｂを入れて分割し、分割した手口部５を親指サックを越え、小指部に至るアジャスタ１１で、図４に示すように締め付け可能とする手口部緊締構造１０を設ける。アジャスタ１１は親指側のバックル付きバンド１１ａと、小指側のバンド１１ｂとで下記親指サック２１を越えて小指側に至る結束バンドを構成する。
【００１３】  他方、手甲面パーツ２の親指部には金属又はプラスチック硬質片を内挿した親指サック２１を設ける。親指サック２１は手甲面革２１ａと袋革２１ｂと袋革に内挿した硬質片２１ｃとその止め革２１ｄからなり、捕球時の親指への衝撃を緩和するようになっており、図３のＡ−Ａ線断面図、Ｂ−Ｂ線断面図、Ｃ−Ｃ線断面図に示すように、先端に向けて細くなる袋状をなす一方、親指サックの挿入口２１ｅは親指付け根から手口部に向けて広がる角度α（左手の場合好ましくは親指サックの上下中心線に対し時計回りに１５°以上５０°以下）を持たせるのが親指の操作上好ましい。また、図５に示すように、小指部には深く入れた切り込み１０ｂ近傍に、環状の付け根支持部２３を設ける。小指付け根支持部２３は内部の環状部２３ａと外部へ取り出した２本の抜き出し紐部２３ｂ、２３ｂとからなり、手甲面から外部に抜き出された紐２３ｂ、２３ｂの結びにより、付け根支持強度が調整可能となっている。更に、手甲面パーツの人差し指部に指出し口２２を設け、図５に示すように、指出し口２２から表側に人差し指７を出し、人差し指７を軸とする親指６と小指９とでグローブの開閉操作をなす構造２０を形成してなる。
【００１４】  上記実施例ではアジャスタ１１を開放し、親指を親指サック２１に挿入し、人指し指を指出し口２２から手甲面表に出し、小指付け根を小指付け根支持部２３に挿入し、抜き出し紐２３ｂ、２３ｂを結んで支持強度を調整し、親指側のバックル付きリストバンド１１ａと、小指側のリストバンド１１ｂとでアジャスタ１１を構成して結束し、分割された手口部５を緊締することによりグローブの抜け落ちを防止する。
【００１５】  以上の説明で明らかなように、本発明のグローブ構造によれば、手口部を分割してアジャスタで緊締するので、抜け落ちなくグローブの開閉操作性が改善される。上記本発明構造はキャッチャーミットにおいて説明したが、他のグローブ及びミットにも適用できる。その他のグローブの適用においては種々変更を伴うが、手口部を分割し、アジャスタで調節して緊締強度を調節する構造１０と人指し指を軸として親指サックと小指付け根支持部とでグローブの開閉操作をする構造２０を備える限り、本発明の範囲内に含まれると解されるべきである。  例えば、上記実施例の親指サック２１は金属又は硬質プラスチック片内挿形式を例示したが、特開平１０−２２５５４７号又は特開平１１−２１６２１８号に開示の親指サックであってもよい。また、親指側アジャスタリストバンド１１aは図１に示すように、親指サック２１の付け根を越えて小指側に回すようにしたが、図６に示すように、親指サック２１の付け根を越えた後挿入孔１１ｃから第１切り込み１０aに入り、隣接する挿入孔（図示しない）から出して小指側リストバンド１１ｂと結束されるようにするのが親指、人差し指の緊締を確実にすることができる。さらに、親指側手甲面パーツ２は捕球面パーツ１に綴じ紐３で結束されるが、小指側リストバンド１１ｂは第２切り込み１０ｂ前の手甲面パーツから取り出される場合（図１）では、第２切り込み１０ｂはその切り込み間隔を考慮して綴じ紐で緊締されるが、第２切り込み１０ｂ後方の手甲面パーツから取り出されるように変形される場合は第２切り込み１０ｂに入った後、隣接する挿入孔などを介して手甲面パーツから外に取り出し、切り込みにより分割される手口部を緊締する構造を形成するようにしてもよい。即ち、切り込みによる手口部の分割は、少なくとも人差し指近傍と小指近傍に切り込みを設けることにより行われ、それを利用して人差し指を軸とする親指サックと小指付け根支持部とで開閉操作構造を構成し、そしてアジャスタリストバンドで緊締する構造とすることにより完成することが肝要であり、当業者であれば、その要旨を逸脱することなく種々変形することができる。
【符号の説明】
【００１６】    １    捕球面パーツ    ２    手甲面パーツ    ３    綴じ紐      ４    捕球用ウエブ      ５    手口部      １０  手口部緊締構造      １０a,１０b     切り込み      １１    アジャスタ      ２１    親指サック      ２３    付け根支持部
【図１】
0006744920.tif 000002
【図２】
0006744920.tif 000003
【図３】
0006744920.tif 000004
【図４】
0006744920.tif 000005
【図５】
0006744920.tif 000006
【図６】
0006744920.tif 000007